(57)【要約】【課題】ゲート装置で回収したカードを、手作業で整理せずにそのままの状態で券売機に移し替えるだけでセットできるカード収納カセットを提供する。【解決手段】カード形状と略同形状の筒状をなして投入されるカードを受け入れる上部開口部２Ａ、券売機側のカード搬送機構のローラが最下位のカード裏面に接触可能な底部開口部２Ｂ及びカードをリーダ・ライタ２２側に排出するための側面開口部２Ｃを備えるカード収納部２と、カード収納部２にロック機構で一体化してカード収納部２の強度を補強するカセットベース３とで構成する。【選択図】　図４
2004046646.tif 000002
【特許請求の範囲】
【請求項１】
発券装置でカードを発行し、挿入された前記発行カードを確認して通行を制御するカード確認装置でカードを回収し、回収したカードを前記発券装置で再度発行するシステムにおいてリサイクル使用される前記カードを収納するカード収納カセットであって、
カード確認装置収納時にカード搬送部から投入されるカードを上部から積層収納可能で且つ発券装置収納時に前記カード確認装置で積層収納した状態で最下位のカードからカード搬送機構により順次排出可能なカード収納部を備え、前記発券装置とカード確認装置の両方に着脱自由に収納可能な構成としたことを特徴とするカード収納カセット。
【請求項２】
前記カード収納部は、カード形状と略同形状の筒状をなし、前記投入されるカードを受け入れる上部開口部と、積層されたカードを保持する爪部が周縁部に形成され前記カード搬送機構の可動部が最下位のカード面に接触可能に開口された底部開口部と、カード排出側側面下端部に前記底部開口部に連続して開口形成されたカード排出用の側面開口部とを備える構成である請求項１に記載のカード収納カセット。
【請求項３】
前記カード収納部が、前記カード排出側側面と対面する側面に、前記カード確認装置に備えられカード収納部内に投入されるカードの落下距離が略一定となるように積層収納したカードの最上位位置を昇降制御するエレベータ機構の昇降動作を許容するための切欠部を有する構成である請求項２に記載のカード収納カセット。
【請求項４】
前記カード収納部は、発券装置収納時に発券装置に設けた第１ロックレバーにより装着完了位置で自動ロックされる構成である請求項１〜３のいずれか１つに記載のカード収納カセット。
【請求項５】
前記カード収納部の下部を着脱可能に収納するカセットベースを備え、該カセットベースは、ベース底部と間隔を設けてカード収納部底部を支持する支持部を有する構成である請求項１〜４のいずれか１つに記載のカード収納カセット。
【請求項６】
前記カセットベースは、カード収納部を収納した時にカード収納部を自動ロックするロックレバーを備える請求項５に記載のカード収納カセット。
【請求項７】
カード収納部にカセットベースを取付けた状態で発券装置に収納し、収納操作に伴って発券装置に設けた第２ロックレバーによりカセットベースが発券装置に自動ロックされると同時にカセットベースの前記ロックレバーのロック状態が発券装置に設けたロック解除機構により自動解除されてカード収納部とカセットベースを分離可能にし、カード収納部を前記装着完了位置に移動操作したときに発券装置の前記第１ロックレバーによりカード収納部が発券装置に自動ロックされる構成である請求項６に記載のカード収納カセット。
【請求項８】
カード収納部にカセットベースを取付けた状態で、前記カード確認装置に収納してカードを積層収納する構成である請求項５〜７のいずれか１つに記載のカード収納カセット。
【請求項９】
前記カード収納部に、カセット持運び用の把持部を備える請求項１〜８のいずれか１つに記載のカード収納カセット。
【請求項１０】
請求項１〜９のいずれか１つに記載のカード収納カセットが収納可能な発券装置であって、
前記カード収納カセットを着脱可能に収納すると共にカード収納カセットのカード収納部に積層収納されたカードを最下位のカードから順次排出するカード搬送機構を内蔵したカセット装着部と、前記カード搬送機構から排出されたカードにデータの書込み処理をするデータ処理部とを備え、該データ処理部で処理されたカードを発行することを特徴とする発券装置。
【請求項１１】
前記カセット装着部は、前記カード搬送機構の可動部に前記カード収納部の最下位のカード面が接触可能なように、前記カード搬送機構の上方に前記カード収納部を固定する第１ロックレバーを備える請求項１０に記載の発券装置。
【請求項１２】
前記カセット装着部は、カード収納カセット収納時に、カセットベースのロックレバーによりカード収納部と一体化されたカセットベースを収納操作に伴って自動ロックする第２ロックレバーを備えると共に、該第２ロックレバーのロック動作と同時に前記カセットベース側ロックレバーによるロックを自動解除するロック解除機構を備え、カード収納カセット収納時にカード収納部とカセットベースを分離可能とし、カセットベースから分離したカード収納部をカード搬送機構上方の装着完了位置に移動操作したときに前記第１ロックレバーでカード収納部を自動ロックする構成である請求項１１に記載の発券装置。
【請求項１３】
請求項１〜９のいずれか１つに記載のカード収納カセットが収納可能なカード確認装置であって、
前記カード収納カセットを着脱可能に収納するカセット装着部と、挿入されたカードを前記カセット装着部まで搬送しカード収納カセットのカード収納部上方から当該カード収納部内にカードを投入するカード搬送部と、該カード搬送部によるカード搬送途中においてカードの記録データを読込みカードの確認処理をするカード確認処理部とを備え、該カード確認処理部の確認結果に基づいて利用者の通行を制御することを特徴とするカード確認装置。
【請求項１４】
前記カセット装着部は、前記カード収納部にカセットベースを一体化した状態でカード収納カセットを収納するカセット収納部と、該カセット収納部に収納したカード収納カセットのカード収納部内に積層収納されたカードの最上位位置を前記カード搬送部から投入されるカードの落下距離が略一定となるように昇降制御するエレベータ機構とを備える構成である請求項１３に記載のカード確認装置。
【請求項１５】
前記カセット装着部は、カード搬送部からカード収納カセット内にカードが落下して積層収納されるカード回収位置とカード収納カセットをカセット収納部に対して出し入れするカセット着脱位置との間で回動可能に、装置本体内に軸支される構成である請求項１３又は１４に記載のカード確認装置。
【請求項１６】
前記エレベータ機構は、カセット収納部の下面開口部からカセットベースを介してカード収納部内に昇降可能に挿通し落下するカードを受けるカード受け部と、該カード受け部を昇降駆動する駆動源と、前記カード受け部を支持するステー部をガイドするガイド部と、カードの最上位位置を前記カード搬送部から投入されるカードの落下距離が略一定となるよう前記カード受け部の位置を制御すべく前記駆動源を駆動制御する制御部とを備える構成である請求項１４又は１５に記載のカード確認装置。
【請求項１７】
前記制御部は、カード収納カセットがセットされたことが検知されると、前記受け部を昇降制御して投入されるカードの落下距離が略一定となる所定位置に前記受け部をセットする構成である請求項１６に記載のカード確認装置。
【発明の詳細な説明】
【０００１】
【発明の属する技術分野】
本発明は、発券装置でカードを発行し、挿入されたカードを確認して通行を制御するカード確認装置でカードを回収するシステムに好適なカード収納カセットに関し、特に、回収した状態のままで発券装置にセットできるようにしたカード収納カセットに関する。また、このカード収納カセットを用いる発券装置及びカード確認装置に関する。
【０００２】
【従来の技術】
例えば公園や遊園地等の施設では、券売機で購入した入場券をゲート装置に挿入して施設に入場するシステムを採用しているところがある。近年、このようなシステムでは、資源節約等の観点から、入場券にリサイクル使用が可能なカードを採用し、ゲート装置に挿入されたカードを回収し、回収されたカードを券売機で再度発券するようにしている。
【０００３】
【発明が解決しようとする課題】
しかしながら、従来のこの種のシステムでは、ゲート装置等のカード確認装置側で回収したカードを券売機等の発券装置側に収納する場合、カード確認装置内に設けたカード回収箱を発券装置まで運び、作業者が回収箱内のカードを手作業で発券装置内のカード収納カセットに整列収納するようにしていた。このため、利用者が多く１日当たりのカードリサイクル頻度が高い施設では、発券装置へのカード収納作業回数が多く手間が掛かるという問題があった。
【０００４】
本発明は上記問題点に着目してなされたもので、カード確認装置で回収したカードを回収したままの状態でカード確認装置から発券装置に移し替えるだけで済むカード収納カセットを提供することを目的とする。また、本発明のカード収納カセットを用いる発券機及びゲート装置を提供することを目的とする。
【０００５】
【課題を解決するための手段】
このため、請求項１の発明は、発券装置でカードを発行し、挿入された前記発行カードを確認して通行を制御するカード確認装置でカードを回収し、回収したカードを前記発券装置で再度発行するシステムにおいてリサイクル使用される前記カードを収納するカード収納カセットであって、カード確認装置収納時にカード搬送部から投入されるカードを上部から積層収納可能で且つ発券装置収納時に前記カード確認装置で積層収納した状態で最下位のカードからカード搬送機構により順次排出可能なカード収納部を備え、前記発券装置とカード確認装置の両方に着脱自由に収納可能な構成としたことを特徴とする。
【０００６】
かかる構成では、カード収納カセットをカード確認装置に収納すると、上方からカード収納部内にカードが積層収納される。カードが満杯になりカード収納カセットをカード確認装置から取出してそのままの状態で発券装置に収納する。カード収納部に収納されたカードは、最下位のカードから順次排出することができる。
【０００７】
前記カード収納部は、具体的には請求項２のように、カード形状と略同形状の筒状をなし、前記投入されるカードを受け入れる上部開口部と、積層されたカードを保持する爪部が周縁部に形成され前記カード搬送機構の可動部が最下位のカード面に接触可能に開口された底部開口部と、カード排出側側面下端部に前記底部開口部に連続して開口形成されたカード排出用の側面開口部とを備える構成とするとよい。
【０００８】
また、請求項３のように、前記カード収納部が、前記カード排出側側面と対面する側面に、前記カード確認装置に備えられカード収納部内に投入されるカードの落下距離が略一定となるように積層収納したカードの最上位位置を昇降制御するエレベータ機構の昇降動作を許容するための切欠部を有する構成とするとよい。
【０００９】
請求項４のように、前記カード収納部は、発券装置収納時に発券装置に設けた第１ロックレバーにより装着完了位置で自動ロックされる構成とするとよい。
かかる構成では、カード収納部を発券装置に収納すると自動的にロックされて固定される。これにより、手動でカード収納カセットをロックする手間が省けるようになる。
【００１０】
請求項５のように、前記カード収納部の下部を着脱可能に収納するカセットベースを備え、該カセットベースは、ベース底部と間隔を設けてカード収納部底部を支持する支持部を有する構成とすれば、カード収納部の強度が補強でき、また、最下位のカードが地面等に接触するのを防止でき、カード確認装置から発券装置への移動作業が楽になる。
【００１１】
請求項６のように、前記カセットベースは、カード収納部を収納した時にカード収納部を自動ロックするロックレバーを備える構成とするとよい。
請求項７の発明では、カード収納部にカセットベースを取付けた状態で発券装置に収納し、収納操作に伴って発券装置に設けた第２ロックレバーによりカセットベースが発券装置に自動ロックされると同時にカセットベースの前記ロックレバーのロック状態が発券装置に設けたロック解除機構により自動解除されてカード収納部とカセットベースを分離可能にし、カード収納部を前記装着完了位置に移動操作したときに発券装置の前記第１ロックレバーによりカード収納部が発券装置に自動ロックされる構成とした。
【００１２】
かかる構成では、カード収納カセットを発券装置に収納操作するだけで、自動的にカード収納部からカセットベースが分離できるようになり、カード収納部とカセットベースを手作業で分離する必要がなくなる。
請求項８の発明では、カード収納部にカセットベースを取付けた状態で、前記カード確認装置に収納してカードを積層収納する構成とした。
【００１３】
かかる構成では、カード確認装置にカード収納カセットを収納するときに、カセットベースの取外し作業を省略できるようになる。
請求項９のように、前記カード収納部に、カセット持運び用の把持部を備えるとよい。
請求項１０の発明では、請求項１〜９のいずれか１つに記載のカード収納カセットが収納可能な発券装置であって、前記カード収納カセットを着脱可能に収納すると共にカード収納カセットのカード収納部に積層収納されたカードを最下位のカードから順次排出するカード搬送機構を内蔵したカセット装着部と、前記カード搬送機構から排出されたカードにデータの書込み処理をするデータ処理部とを備え、該データ処理部で処理されたカードを発行する構成とした。
【００１４】
かかる構成では、カードを積層収納したカード収納カセットをカセット装着部に収納し、最下位のカードから順次カード搬送機構でカードを排出する。排出されたカードは、データ処理部でデータの書込み或いは書換え処理が行われて発行されるようになる。
請求項１１のように、前記カセット装着部は、前記カード搬送機構の可動部に前記カード収納部の最下位のカード面が接触可能なように、前記カード搬送機構の上方に前記カード収納部を固定する第１ロックレバーを備えるとよい。
【００１５】
請求項１２のように、前記カセット装着部は、カード収納カセット収納時に、カセットベースのロックレバーによりカード収納部と一体化されたカセットベースを収納操作に伴って自動ロックする第２ロックレバーを備えると共に、該第２ロックレバーのロック動作と同時に前記カセットベース側ロックレバーによるロックを自動解除するロック解除機構を備え、カード収納カセット収納時にカード収納部とカセットベースを分離可能とし、カセットベースから分離したカード収納部をカード搬送機構上方の装着完了位置に移動操作したときに前記第１ロックレバーでカード収納部を自動ロックする構成とするとよい。
【００１６】
かかる構成では、カード収納カセットを発券装置に収納操作するだけで、自動的にカード収納部からカセットベースが分離できるようになり、カード収納部とカセットベースを手作業で分離する必要がなくなる。
請求項１３の発明では、請求項１〜９のいずれか１つに記載のカード収納カセットが収納可能なカード確認装置であって、前記カード収納カセットを着脱可能に収納するカセット装着部と、挿入されたカードを前記カセット装着部まで搬送しカード収納カセットのカード収納部上方から当該カード収納部内にカードを投入するカード搬送部と、該カード搬送部によるカード搬送途中においてカードの記録データを読込みカードの確認処理をするカード確認処理部とを備え、該カード確認処理部の確認結果に基づいて利用者の通行を制御する構成とした。
【００１７】
かかる構成では、空のカード収納カセットをカセット装着部に収納し、挿入されたカードをカード搬送部で搬送する際に、カード確認処理部でカードの記録データを読込みカードの有効／無効等を確認して利用者の通行を制御する。カードのデータ確認後は、カード収納カセットのカード収納部内に投入して積層収納してカードを回収する。
【００１８】
請求項１４のように、前記カセット装着部は、前記カード収納部にカセットベースを一体化した状態でカード収納カセットを収納するカセット収納部と、該カセット収納部に収納したカード収納カセットのカード収納部内に積層収納されたカードの最上位位置を前記カード搬送部から投入されるカードの落下距離が略一定となるように昇降制御するエレベータ機構とを備える構成とするとよい。
【００１９】
かかる構成では、カードの落下時にカードの落下距離を略一定に制御することにより、カードが裏返る等の不具合を防止できるようになる。
請求項１５のように、前記カセット装着部は、カード搬送部からカード収納カセット内にカードが落下して積層収納されるカード回収位置とカード収納カセットをカセット収納部に対して出し入れするカセット着脱位置との間で回動可能に、装置本体内に軸支される構成とするとよい。
【００２０】
前記エレベータ機構は、具体的には請求項１６のように、カセット収納部の下面開口部からカセットベースを介してカード収納部内に昇降可能に挿通し落下するカードを受けるカード受け部と、該カード受け部を昇降駆動する駆動源と、前記カード受け部を支持するステー部をガイドするガイド部と、カードの最上位位置を前記カード搬送部から投入されるカードの落下距離が略一定となるよう前記カード受け部の位置を制御すべく前記駆動源を駆動制御する制御部とを備える構成である。
【００２１】
請求項１７のように、前記制御部は、カード収納カセットがセットされたことが検知されると、前記受け部を昇降制御して投入されるカードの落下距離が略一定となる所定位置に前記受け部をセットする構成である。
かかる構成では、カード確認装置にカード収納カセットを収納セットするだけで、自動的にカードの回収が可能な状態となる。
【００２２】
【発明の実施の形態】
以下、本発明の実施形態を図面に基づいて説明する。
図１及び図２に、本発明のカード収納カセットの実施形態を示す。
図において、本実施形態のカード収納カセット１は、発券装置（後述する）でカードを発行し、挿入された発行カードを確認して通行を制御するカード確認装置（後述する）でカードを回収し、回収したカードを発券装置で再度発行するシステムにおいてリサイクル使用されるカードを収納するものであり、図１に示すカード収納部２と図２に示すカセットベース３とを備えて構成される。
【００２３】
図１（Ａ）、（Ｂ）に示すカード収納部２は、板金加工、モールド加工、樹脂加工、又は、部材をネジ、溶接等で接合することによりカード形状と略同形状の筒状に形成され、投入されるカードを受け入れる上部開口部２Ａと、内部に積層されたカードの最下位のカード裏面に発券装置のカード搬送機構の可動部が接触可能に開口された底部開口部２Ｂと、カード排出側側面下端部に底部開口部２Ｂに連続して開口形成されたカード排出用の側面開口部２Ｃとを有する。前記底部開口部２Ｂの周縁部には、積層されたカードを保持するための爪部２ａが形成されている。また、カード排出側側面と対面する側面には、カード確認装置に備えられたエレベータ機構の昇降動作を許容するための切欠部２Ｄが形成されている。カード収納部２は、発券装置に設けた後述の第１ロックレバー２５により装着完了位置で自動ロックされる構成であり、カード排出方向に対して直角な両側面外部中間部には、前記第１ロックレバー２５とロック時に係合する一対の係合ピン２ｂ，２ｂが設けられる。また、係合ピン２ｂ，２ｂと同じ高さ位置にカセットベース３の後述するロックレバー４とロック時に係合する一対の係合ピン２ｃ，２ｃが設けられる。また、一方の側面上部には、カセット持運び用の把持部２Ｅのストッパピン２ｄが設けられる。更に、両側面上部に、カード回収時にカード上端検出のための一対の長孔２ｅ，２ｅが形成される。
【００２４】
図２に示すカセットベース３は、カード収納カセット１を持運ぶ際のカード収納部２の強度不足を補うためのもので、カード収納部２の下部に着脱可能な構成である。
カセットベース３は、同じく板金加工、モールド加工、樹脂加工、又は、部材をネジ、溶接等で接合することにより図２のような形状に形成され、ベース底部の上方の内側側面に設けられたカード収納部２の底部を支持する支持部３ａと、カード収納部２と同様にエレベータ機構の昇降を許容するための切欠部３ｂと、カード収納部２を収納したときに係合ピン２ｃが入り込む一対の切欠溝３ｃと、発券装置収納時に発券装置側に設けた後述の案内溝２９に係合する一対の係合ピン３ｄとを有する。また、一方の側面に、カード収納部２を収納したときに係合ピン２ｃを係合してカード収納部２をロックするロックレバー４が設けられている。ロックレバー４は、先端部に係合ピン２ｃを係合するフック部４ａと、ロック解除操作部４ｂとが形成され、フック部４ａの頂部はテーパ面４ｃとなっている。ロックレバー４は、ベース本体に支点部３ｅで回動可能に軸支され、一端がベース本体に固定され他端がロックレバー４に固定されたコイルバネ５により図５及び図６中時計回りに常時弾性付勢されている。
【００２５】
次に、上述したカード収納カセット１を収納可能な本発明の発券装置として、例えば公園等の入場券を発行する券売機の一実施形態を図３〜図７を参照して説明する。
図３は、本実施形態の券売機の正面図、図４〜図７は券売機１０のカセット収納構造を示す図である。
【００２６】
図３において、券売機１０の正面パネルには、購入するカード（入場券）の種別及び枚数等の選択ボタン等が設けられる操作部１１、紙幣挿入部１２、コイン投入部１３、釣銭取出し部１４、利用者が発行カード（入場券）を取出すためのカード取出し部１５、金額表示部１６及び入場料金等の案内表示部１７等が設けられる。
【００２７】
図４〜図７において、券売機１０の内部には、カード収納カセット１を着脱可能に収納すると共にカード収納部２に積層収納されたカードを最下位のカードから順次排出するカード搬送機構を内蔵したカセット装着部２１と、カード搬送機構から排出されたカードにデータの読込み／書込み処理をするデータ処理部としてのリーダ・ライタ２２とが備えられ、リーダ・ライタ２２で処理されたカードをカード取出し部１５から発行する。
【００２８】
カセット装着部２１は、段付き状に形成され、上段部側には、両側側壁上端部に、カード収納部２の係合ピン２ｂ，２ｃを係合する切欠部２３，２４が形成されている。一方の側壁側には、図５及び図６に示すように、カード収納部２の係合ピン２ｂをロック時に係合する第１ロックレバー２５が設けられている。第１ロックレバー２５は、係合ピン２ｂを係合するフック部２５ａと、ロック解除操作部２５ｂとを有し、フック部２５ａの先端面はテーパ面２５ｃとなっている。第１ロックレバー２５は、支軸２６により回動可能に軸支され、支軸２６に巻回された捩りバネ２７により常時図５及び図６中時計回りに弾性付勢されている。また、図４に示すように、第１ロックレバー２５の取付け側壁面の下段部方向に延びた延設部の先端に、カード収納カセット１の収納操作に伴ってカセットベース３のロックレバー４を自動解除するロック解除機構としてのロック解除片２８が形成されている。図示しないが両側壁間には、カード収納部２に積層収納されたカードを最下位のカードから順次排出するカード搬送機構が設けられている。カード搬送機構は、第１ロックレバー２５によりロック状態となる装着完了位置にカード収納部２が固定されたときに、可動部である搬送ローラがカード収納部２の底部開口部２Ｂを介して最下位のカード裏面に接触し、ローラの回転によりカードを１枚づつカード収納部２の側面開口部２Ｃからリーダ・ライタ２２側に順次排出する構成である。
【００２９】
下段部側には、両側壁にカセットベース３の係合ピン３ｄを案内する前述した一対の案内溝２９が形成されている。また、図４及び図７に示すように、一方の側壁には、カセットベース３の係合ピン３ｄをロックする第２ロックレバー３０が設けられている。第２ロックレバー３０は、第１ロックレバー２５と同様で、係合ピン３ｄを係合するフック部３０ａと、ロック解除操作部３０ｂとを有し、フック部３０ａの頂部はテーパ面３０ｃとなっており、支軸３１により回動可能に軸支され、コイルバネ３２により常時図４及び図７中時計回りに弾性付勢されている。３３はストッパピンである。
【００３０】
次に、カード収納カセット１を券売機１０に収納するときの動作について図４〜図７を参照して説明する。
カード収納カセット１は、カード収納部２をカセットベース３と一体にした状態で券売機１０のカセット装着部２１に収納する。カード収納部２とカセットベース３を一体化する動作は、カード収納部２の係合ピン２ｃを、カセットベース３の一対の切欠溝３ｃに入り込むようにカード収納部２を上方からカセットベース３に挿入する。このとき、係合ピン２ｃがロックレバー４のテーパ面４ｃを押圧することによりロックレバー４がコイルバネ５の弾性付勢力に抗して支点部３ｅを中心に回動する。係合ピン２ｃがテーパ面４ｃから外れると、コイルバネ５の弾性付勢力によりロックレバー４が逆方向に回動し、そのフック部４ａが係合ピン２ｃに係合し、カード収納部２がカセットベース３に自動ロックされて一体化する。
【００３１】
この状態で、カセット装着部２１の下段部の一対の案内溝２９にカセットベース３の係合ピン３ｄを挿入するように、カード収納カセット１をカセット装着部２１に押し込む。この操作により、第２ロックレバー３０のテーパ面３０ｃに係合ピン３ｄが当たり、更に挿入すると、第２ロックレバー３０がコイルバネ３２の弾性付勢力に抗して支軸３１を中心に図４中反時計方向に回動する。係合ピン３ｄがテーパ面３０ｃから外れると、コイルバネ５の弾性付勢力によりロックレバー４が逆方向に回動し、そのフック部３０ａが係合ピン３ｄに係合し、カード収納カセット１のカセットベース３がカセット装着部２１に自動ロックされて固定される。また、カセットベース３の押し込み動作に伴って、カセットベース３のロックレバー４のロック解除操作部４ｂが、カセット装着部２１のロック解除片２８に突き当たって押され、支点部３ｅを中心にロックレバー４がコイルバネ５の弾性付勢力に抗して解除方向に回動し、ロックレバー４のフック部４ａとカード収納部２の係合ピン２ｃの係合が外れて図５に示すようにカード収納部２とカセットベース３のロック状態が解除される。このようにして、図５の位置では、カセットベース３がカセット装着部２１にロックされ、且つ、カード収納部２とカセットベース３のロックが解除された状態となる。
【００３２】
次に、カード収納部２を上方にずらして係合ピン２ｃを切欠溝３ｃから抜き、カード収納部２を図６のようにカセット装着部２１の上段部側に移動した後、カード収納部２を下方に移動して係合ピン２ｂ，２ｃを切欠部２３，２４に挿入し、更に、カード収納部２を切欠部２３，２４に沿って、図６の左方向に移動する。この移動に伴って、係合ピン２ｂが第１ロックレバー２５のテーパ面２５ｃに突き当たってロックレバー２５を押圧すると、第１ロックレバー２５が支軸２６を中心に捩りバネ２７の弾性付勢力に抗して図６中反時計回り回動する。更に押し込み、係合ピン２ｂがテーパ面２５ｃから外れると、捩りバネ２７の弾性付勢力により第１ロックレバー２５が逆方向に回動して、フック部２５ａが係合ピン２ｂに係合し、カード収納部２はカセット装着部２１の上段部に図７のような状態で固定され、カセット装着部２１へのカード収納カセット１の装着が完了する。
【００３３】
図７の状態で、利用者の入場券購入操作がなされると、カード搬送機構が駆動してカード収納カセット１内に積層収納された最下位のカードが順次リーダ・ライタ２２側に排出される。
次に、カード収納カセット１を券売機１０から取出す場合について説明する。図７の状態で、図６に示す第１ロックレバー２５のロック解除操作部２５ｂを手動で図中下方向に押し、第１ロックレバー２５と係合ピン２ｂの係合を解除し、カード収納部２を切欠部２３，２４の図６中で手前側の端部まで移動する。これにより、ロック解除操作部２５ｂから手を離しても第１ロックレバー２５が係合ピン２ｂに係合することはない。第１ロックレバー２５によるロックを解除したら、カード収納部を図６のように上方に持ち上げ、図５のように、カセット装着部２１の下段部に固定されているカセットベース３に、カード収納部２を収納する。この収納時の動作は、前述したカード収納部２とカセットベース３を一体化するときの動作と同様である。これにより、カセットベース３のロックレバー４によるロック動作でカード収納部２がカセットベース３に固定される。その後、カセット装着部２１の第２ロックレバー３０のロック解除操作部３０ｂを下方に手動で押して、カセットベース３の係合ピン３ｄと第２ロックレバー３０の係合を解除し、係合ピン３ｄを案内溝２９から抜き出す方向にカード収納カセット１を移動する。これにより、カード収納部２とカセットベース３が一体化した状態でカード収納カセット１を券売機１０から取出すことができる。
【００３４】
次に、本発明のカード収納カセットが収納可能な本発明のカード確認装置として、前記券売機と組み合わせて用いられるゲート装置の一実施形態について説明する。
図８及び図９は、本実施形態のゲート装置の外観図である。
図において、本実施形態のゲート装置４０は、一対の装置本体４１，４２を備え、各装置本体４１，４２には、互いに連動して開閉するフラップ４３，４４が設けられる。装置本体４１には、前述の券売機１０で発行されたカード（入場券）を挿入するカード挿入口４５と、表示器４６等が設けられる。また、装置本体４１の内部には、カード挿入口４５から挿入されたカードを回収するためのカード収納カセット１を着脱可能に収納する本発明の特徴である後述するカセット装着部５０（図８中点線で示す）と、挿入されたカードをカセット装着部５０まで搬送しカード収納部２の上部開口部２Ａからカードを投入するカード搬送部と、カード搬送途中においてカードの記録データを読込みカードが有効か否か等の確認処理をするカード確認処理部としてのカードリーダ６４（図８中点線で示す）とが設けられている。カセット装着部５０に対するカード収納カセット１の着脱は、装置本体４１上部にヒンジ結合により開閉可能に設けられている上カバー４１Ａを開けた状態で行う。
【００３５】
かかるゲート装置４０のゲート制御動作は、カード挿入口４５からカードが挿入されると、各種センサによりカードの挿入方向の正否やカードの異常の有無等を検出する。カードに異常がなく挿入方向も正しければカード搬送部によりカードを搬送し、カードリーダ６４でカードの有効／無効等の確認をする。有効なカードであれば、フラップ４３，４４を開制御して通行を許可すると共に、確認処理したカードはカード収納カセット１に投入する。無効カードであればカード挿入口からカードを返却する。尚、カードの挿入方向が正しくなければカードを返却し、正しいカードの挿入を促す案内を行う。カードの異常を検出した場合は、使用不能としてカード収納カセット１とは別に設けた異常カード回収部に搬送して回収する。
【００３６】
次に、図１０〜図１４を参照して前記カセット装着部５０について説明する。図１０及び図１１はカード収納カセット１を出し入れする時のカセット装着部５０の状態を示す図であり、図１２及び図１３はカード回収時のカセット装着部５０の状態を示す図である。
図１０から図１３において、カセット装着部５０は、装置本体４１の固定部に支軸５１を介して、カード収納カセット１を出し入れする傾斜状態となる図１１のカセット着脱位置とカード搬送部からカードが落下して積層収納される略直立状態となる図１３のカード回収位置との間で回動可能に取付けられている。そして、図１３のカード回収位置に回動すると図示しないロック機構により装置本体４１の固定部に自動ロックされて固定され、ロック機構のロック解除レバー（図示せず）を手動操作してロック解除するとカセット装着部５０の自重により図１１のカセット着脱位置に回動する構成である。
【００３７】
カセット装着部５０は、カード収納部２とカセットベース３を一体化した状態でカード収納カセット１を上方から出し入れ可能なカセット収納部５２と、カセット収納部５２に収納したカード収納カセット１のカード収納部２内に積層収納されたカードの最上位位置を、投入されるカードの落下距離が略一定となるように昇降制御するエレベータ機構５３とを備える。
【００３８】
前記エレベータ機構５３は、カセット収納部５２の下面側からカード収納カセット１内に昇降可能に挿通しカードを受けるカード受け部である受板５４と、受板５４を昇降駆動するための駆動源であるモータ５５と、受板５４を支持するステー５６の昇降動作をガイドするガイド部としてのリニアガイド５７と、カードの最上位位置を投入されるカードの落下距離が略一定となるよう受板５４の位置を制御すべくモータ５５を駆動制御する制御部としての昇降制御部７０とを備える。
【００３９】
受板５４の昇降機構は、モータ５５の回転軸５８に固定したプーリ５９（図１４に示す）とカセット装着部５０の上端部に回転自由に軸支したプーリ（図示せず）との間にタイミングベルト６０を張架し、このタイミングベルト６０に図１４に示すように連結部材６１でステー５６を固定する。ステー５６には、カセット装着部５０の上下端で支持されたリニアガイド５７が貫通し、モータ５５の回転に基づくタイミングベルト５８の移動方向に応じてステー５６がリニアガイド５７に沿って昇降し、ステー５６と一体に受板５４が昇降する構成である。図中、６２は、カセット装着部５０をカセット着脱位置からカード回収位置に回動する時に使用する取手、６３は、カセット装着部５０自重でカセット装着位置に回動した時に当たるクッション材等からなるストッパである。また、６４が前述したカードリーダであり、図１３の一点鎖線Ａはカードの搬送面を示す。
【００４０】
次に、カセット装着部５０に対するカード収納カセット１の着脱操作について説明する。
カセット装着部５０にカード収納カセット１を収納する場合、まず、装置本体４１の上カバー４１Ａを開け、図１０及び図１１に示す傾斜状態のカセット着脱位置で、上方からカード収納カセット１をカセット装着部５０内に収納する。カード収納カセット１は図１０の２点鎖線で示すように収納される。その後、取手６２によりカセット装着部５０を図１２及び図１３のカード回収位置に回動操作すると、ロック機構によりカセット装着部５０がカード回収位置にロックされて固定される。また、エレベータ機構５３の昇降制御部７０によりカード収納カセット１のセットを検知して受板５４を所定位置（後述のホームポジション位置）に昇降制御する。その後、カードの挿入があると、カード搬送部で搬送されカードリーダ６４で処理されたカードが、カード搬送面Ａからカード収納カセット１のカード収納部２内に落下し、受板５４上に順次積層収納される。また、カードの回収時に、カードが常に同じ状態でカード収納カセット１内に積層収納されるように昇降制御部７０によりカードの落下距離が略一定となるよう受板５４の位置が適時制御される。カード挿入時にカードの挿入方向や異常を検知することで、カード収納カセット１に一定の方向で正常なカードだけを積層収納することができ、カードを整列し直すことなく、そのままの状態で券売機１０側に移し替えリサイクル使用することができる。
【００４１】
尚、昇降制御部７０による受板昇降制御については後で詳述する。
カセット装着部５０からカード収納カセット１を取出す場合は、カード回収位置にロックされているカセット装着部５０のロックをロック解除レバーの操作で解除する。これにより、カセット装着部５０はカセット着脱位置に自重で回動し、この位置でカード収納カセット１を上方から取出す。取出したカード収納カセット１は、そのまま券売機１０のカセット装着部２１にセットすればよい。カード収納カセット１をゲート装置４０から券売機１０に移動させる際に、カセットベース３がカードの積層されたカード収納部２の強度を補強する役割を有している。また、カセットベース３の底部から浮かした状態でカセットベース３にカード収納部２を収納しているので、カード収納部２内の最下位のカードの裏面が地面等に接触することを防止でき、例えばゲート装置４０から券売機１０にカード収納カセット１を移動する際等にカードが汚れるのを防止できる。更に、カセットベース３によりカード収納部２のカード排出用の側面開口部２Ｃが塞がれるので、収納したカードが側面開口部２Ｃから落下するのを防止できる。
【００４２】
尚、必ずしもカセットベースを設ける必要はない。例えば、カード収納部２内部の底部開口部２Ｂより上方の側面周囲に積層されたカードを保持する保持部を形成し、カード収納部２内で底部開口部２Ｂから浮かした状態でカードを保持する構成とすれば、カセットベースがなくとも持運びの際のカード裏面の汚れを防止できる。また、カード収納部２に、側面開口部２Ｃを開閉できる例えばスライド式や回動式のシャッターを設け、持運びの際にはシャッターで側面開口部２Ｃを塞ぐことにより、側面開口部２Ｃからのカードの落下は防止できる。
【００４３】
次に、昇降制御部７０による受板昇降制御について説明する。
図１５は、エレベータ機構５３の昇降制御部７０の構成を示すブロック図である。
図１５において、カセットセットセンサ７１は、カセット装着部５０が図１３のカード回収位置にセットされたことを検知するものである。上端検知センサ７２は、図１１及び図１３に点線で示すようにカセット装着部５０の上端部に配置されてカード収納部２に積層収納されるカードの上端位置を検知するものである。具体的には、カード収納部２の上部に形成された一対の長孔２ｅ，２ｅに臨んで対向する発光素子と受光素子で構成され、発光素子から受光素子に向けて投光された光がカードにより遮断された時に上端検知出力を発生する。エレベータ下端検知センサ３は、受板５４が下端位置にあることを検知するものである。具体的には、図１１及び図１３に示すようにカセット装着部２１下部の所定位置に固定されるリミットスイッチであり、受板５４が下端位置にある時のステー５６の位置を検知してＯＮし下端検知出力を発生する。カセット取出しスイッチ７４は、図１０〜図１３に示すようにカセット装着部５０の上面に配置され受板５４を強制的に下端位置まで下降させることができるものである。カセット取出しスイッチ７４を操作することにより、カードが満杯でない時でもカード収納カセット１を取出すことができる。エレベータ制御部７５は、前記各種センサやスイッチからの信号に基づいてモータ５５を駆動制御すると共に、カセット取出しスイッチ７４に隣接してカセット装着部５０の上面に配置された満杯表示ＬＥＤ７６の点灯を制御するものである。満杯表示ＬＥＤ７６は、カード満杯検知時やカセット取出しスイッチ７４の操作に基づいて受板５４が下降駆動されて下端位置になった時に等に点灯してカード収納カセット１の取出しが可能な状態であることを表示するものである。
【００４４】
次に、図１６のフローチャートを参照してカード収納カセット交換時のエレベータ制御部７５の動作を説明する。
ステップ１（図中Ｓ１で示し、以下同様とする）で、カード収納カセット１が正常にセットされたか否かを判定する。ゲート装置４０のカセット装着部５０のカセット収納部５２にカード収納カセット１を挿入した後、取手６２を掴んで図１３のカード回収位置にセットしたとき、カセットセットセンサ７１がＯＮすればカセットセットＯＫと判定する。また、カセット装着部５０はロックレバーによりロックされて固定される。
【００４５】
ステップ２では、受板５４が下端位置にあるか否かを判定する。エレベータ下端検知センサ７３がステー５６を検知してＯＮしていればＹＥＳと判定し、ステップ６に進む。一方、エレベータ下端検知センサ７３がＯＮしていなければＮＯと判定してステップ３に進む。
ステップ３では、受板５４を下降制御し、ステー５６がリニアガイド５７に沿って下降する。ステップ４でエレベータ下端検知センサ７３がステー５６を検知してＯＮするまで受板５４を下降制御し、ステップ４でＹＥＳと判定されるとステップ５に進み、受板５４の下降制御を停止する。
【００４６】
ステップ６では、上端検知センサ７２によりカード収納カセット１内のカード上端が検知されているか否かを判定する。カードが満杯に収納されたカード収納カセット１を間違ってセットしない限り、ステップ６の判定は通常ＮＯとなる。ステップ７では、受板５４を上昇制御し、ステップ８で上端検知センサ７２から上端検知出力が発生するまで受板５４を上昇制御し、ステップ８でＹＥＳと判定されると、ステップ９に進む。
【００４７】
ステップ９では、受板５４を下降制御してホームポジションにセットする。ここで、前記ホームポジションとは、カードの落下距離が略一定となる予め設定した位置であり、例えば、受板５４或いは積層最上位のカードの位置が、上端検知センサ７２から上端検知出力が発生する位置からカード１０枚分の厚さに相当する距離下降した位置とする。即ち、カード収納カセット１が空であれば受板５４をカード１０枚分の厚さに相当する距離下降し、カード収納カセット１にカードが積層されていれば最上位のカード位置が上端検知センサ７２から上端検知出力が発生する位置からカード１０枚分の厚さに相当する距離下降した位置となるように受板５４を下降する。
【００４８】
ステップ１０では、エレベータ下端検知センサ７３により受板５４が下端位置になったか否かを判定し、受板５４が下端位置になるまで、ステップ８とステップ９の動作を繰り返す。従って、カード収納カセット１内に例えばカードが１０枚収納される毎に上端検知センサ７２から上端検知出力が発生し、その都度、受板５４をカード１０枚の厚さに相当する距離だけ下降制御する。これにより、カード収納カセット１に投入されるカードの落下距離が略一定に制御され、カードをカード収納カセット１内に同じ状態で積層することができ、ゲート装置４０側から券売機１０側にカード収納カセット１を移動させるだけで、回収したカードをそのまま券売機１０側にセットすることができる。
【００４９】
ステップ１０でＹＥＳと判定されるとステップ１１に進み、上端検知センサ７２によりカード収納カセット１内のカード上端が検知されたか否かを判定する。上端が検知されると、カード収納カセット１が満杯と判定し、ステップ１２で満杯表示ＬＥＤ７６を点灯する。また、図８に示した外部の表示器４６でも満杯表示する。
【００５０】
また、カセット取出しスイッチ７４によりカードが満杯でない状態でカード収納カセット１を取出す場合の動作を、図１７のフローチャートで説明する。
ステップ２１で、カセット取出しスイッチ７４をＯＮ操作する。
ステップ２２では、カセット取出しスイッチ７４をＯＮ操作により、受板５４を下降制御し、ステップ２３でエレベータ下端検知センサ７３がステー５６を検知してＯＮするまで受板５４を下降制御し、ステップ２３でＹＥＳと判定されるとステップ２４に進み、満杯表示ＬＥＤ７６を点灯し、受板５４が下端位置まで下降してカード収納カセット１の取出しが可能であることを作業者に知らせる。作業者は、満杯表示ＬＥＤ７６の点灯を確認してカード収納カセット１を取出す。
【００５１】
尚、本実施形態では、本発明のカード収納カセットを適用する発券装置とカード確認装置として公園等に設置される券売機とゲート装置を例に説明したが、本発明のカード収納カセットを適用可能な発券装置としては駐車券を発行する駐車券発行機があり、カード確認装置としては挿入された駐車券類を確認して料金精算処理する料金精算機がある。
【００５２】
【発明の効果】
以上説明したように、本発明のカード収納カセットによれば、カード確認装置に装着した時にはカセットの上方からカードを積層収納し、発券装置に装着した時には回収したままの状態で収納カセット下端の最下位のカードから順次排出できるようにしたので、カード確認装置側から回収したままの状態で発券装置側にカセットをセットするだけでよく、従来のように回収したカードを手作業で整理することなくカードのリサイクルが可能となる。
【００５３】
また、カセットベースを設けたことにより、カード収納部の強度が補強できるので、カード収納カセットの移動時等にカードの落下やカード裏面の汚れ等を防止できる。
本発明の発券装置は、カード収納カセットを所定の手順で移動操作するだけでロック機構によりカセットを装着位置に自動的にロックして固定できるので、カード収納カセットの装着が極めて容易である。
【００５４】
本発明のカード確認装置は、エレベータ機構を設けることにより、上方から落下するカードを同じ状態でカード収納カセット内に積層回収することがより一層容易となる。
【図面の簡単な説明】
【図１】本発明のカード収納カセットの一実施形態を示す図で、（Ａ）はカード収納部の斜視図、（Ｂ）はカード収納部の別方向の斜視図
【図２】本発明のカード収納カセットの一実施形態を示す図で、（Ａ）はカセットベースの斜視図、（Ｂ）はカセットベースの別方向の斜視図
【図３】本発明の発券装置の一実施形態を示す正面図
【図４】発券装置に対するカード収納カセットの装着操作の説明図
【図５】発券装置に対するカード収納カセットの装着操作の説明図
【図６】発券装置に対するカード収納カセットの装着操作の説明図
【図７】発券装置に対するカード収納カセットの装着操作の説明図
【図８】本発明のカード確認装置の一実施形態を示す上面図
【図９】本発明のカード確認装置の一実施形態を示す正面図
【図１０】本実施形態のカード確認装置のカセット着脱位置でのカセット装着部の概略上面図
【図１１】本実施形態のカード確認装置のカセット着脱位置でのカセット装着部の概略側面図
【図１２】本実施形態のカード確認装置のカード回収位置でのカセット装着部の概略上面図
【図１３】本実施形態のカード確認装置のカード回収位置でのカセット装着部の概略側面図
【図１４】エレベータ機構の受板昇降機構の構造説明図
【図１５】エレベータ機構の昇降制御部のブロック構成図
【図１６】カセット収納時の受板昇降制御の動作を説明するフローチャート
【図１７】カセット取出しスイッチによるカセット取出し動作を説明するフローチャート
【符号の説明】
１　　カード収納カセット
２　　カード収納部
２Ａ　　上面開口部
２Ｂ　　底部開口部
２Ｃ　　側面開口部
３　　カセットベース
４　　ロックレバー
１０　　券売機
２１　　カセット装着部
２２　　リーダ・ライタ
２５　　第１ロックレバー
３０　　第２ロックレバー
４０　　ゲート装置
５０　　カセット装着部
５２　　カセット収納部
５３　　エレベータ機構
６４　　カードリーダ
７０　　昇降制御部
【図１】
2004046646.tif 000003
【図２】
2004046646.tif 000004
【図３】
2004046646.tif 000005
【図４】
2004046646.tif 000006
【図５】
2004046646.tif 000007
【図６】
2004046646.tif 000008
【図７】
2004046646.tif 000009
【図８】
2004046646.tif 000010
【図９】
2004046646.tif 000011
【図１０】
2004046646.tif 000012
【図１１】
2004046646.tif 000013
【図１２】
2004046646.tif 000014
【図１３】
2004046646.tif 000015
【図１４】
2004046646.tif 000016
【図１５】
2004046646.tif 000017
【図１６】
2004046646.tif 000018
【図１７】
2004046646.tif 000019